(57)【要約】【課題】  移動体通信システムにおいて、各セルの同時接続可能ユーザ数やデータキャパシティは、基地局の処理能力や無線リソースによる制約を受ける。そのため、ある特定のセルにユーザが集中しているとき、多数のユーザが同時にデータ通信を行うと、無線リソースの逼迫が発生し、１ユーザ当りのスループットやユーザＱｏＥが低下する場合に対し、無線リソースの有効活用するためのセル間負荷分散制御を行う。【解決手段】  無線基地局装置は、各移動局の接続セルにおける現在の無線リソース使用率、および隣接セルに接続した場合の無線リソース使用率予測値をもとに、無線システム全体での無線リソースの有効利用を図り、ある特定セルでの無線リソースの逼迫状態を解消する様に、各移動局の最適な接続セルを選択し、ハンドオーバを実行する。【選択図】  図３
2015005872.tif 000002
【特許請求の範囲】
【請求項１】
基地局装置であって、
端末装置に対して、端末装置と無線通信する各リモートユニットの無線リソース使用率を記憶する管理テーブルと、
処理部と、
を備え、
前記処理部は、
リモートユニットの識別情報を含む、基準信号の受信電力の測定報告を各端末装置から受信し、
前記測定報告により各端末装置の各リモートユニットにおける無線リソース使用率を計算して前記管理テーブルに記憶し、
前記管理テーブルに記憶された無線リソース使用率をもとに、第１のリモートユニットにおける無線リソース逼迫状態を検出すると、
前記管理テーブルを参照し、第１の端末装置を前記第１のリモートユニットから第２のリモートユニットへ、第２の端末装置を前記第２のリモートユニットから前記第１のリモートユニットへ入れ替えた場合の、前記第１及び第２のリモートユニットの各無線リソース使用率を推定し、
推定した各無線リソース使用率により前記第１及び第２のリモートユニットの無線リソースの逼迫状態が解消されると判断された場合に、前記第１及び第２の端末装置のハンドオーバを実行することにより接続されるリモートユニットを入れ替える
ことを特徴とする基地局装置。
【請求項２】
請求項１に記載された基地局装置において、
前記処理部は、前記管理テーブルを参照し、前記第１のリモートユニットに接続中の端末装置の中から無線リソース使用率の比較的大きい前記第１の端末装置を選択し、
前記第１の端末装置がハンドオーバ可能な前記第２のリモートユニットを選択し、
前記第１の端末装置を前記第２のリモートユニットに接続した場合の無線リソース使用率予測値と、前記第２のリモートユニットの無線リソース使用率との第１の加算値を求め、前記第１の加算値が予め定められた閾値を超過しているかを判定し、
前記閾値を超過していない場合、前記第１の端末装置を前記第２のリモートユニットへハンドオーバさせる
ことを特徴とする基地局装置。
【請求項３】
請求項２に記載された基地局装置において、
前記処理部は、前記予め定められた閾値を超過しているかを判定したとき前記閾値を超過していた場合、前記管理テーブルを参照し、前記第２のリモートユニットに接続中の端末装置の中から無線リソース使用率の比較的大きい前記第２の端末装置を選択し、
前記第２の端末装置を前記第１のリモートユニットに接続した場合の無線リソース使用率予測値と、前記第１のリモートユニットの無線リソース使用率との第２の加算値を求め、
前記第１及び第２の端末装置をそれぞれ前記第２及び前記第１のリモートユニットへ接続した場合の前記第１及び第２のリモートユニットの前記第１及び第２の加算値がそれぞれ前記閾値を超過しているかを判定し、
いずれも前記閾値を超過していない場合、前記第１及び第２の端末装置をそれぞれ前記第２及び前記第１のリモートユニットへハンドオーバさせる
ことを特徴とする基地局装置。
【請求項４】
請求項２に記載された基地局装置において、
前記処理部は、
端末装置から報告された受信電力の測定報告に含まれるサービングセルの受信電力とネイバーセルの受信電力の差から、ネイバーセルへ接続した場合のＳＩＮＲ（Ｓｉｇｎａｌ  ｔｏ  Ｉｎｔｅｒｆａｒｅｎｃｅ  ａｎｄ  Ｎｏｉｓｅ  ｐｏｗｅｒ  Ｒａｔｉｏ）の劣化量予測値を算出し、
算出したＳＩＮＲ劣化量予測値から、当該端末装置がネイバーセルにおいて選択される変調方式と符号化率の組み合わせを推定し、サービングセルの変調方式と符号化率の組み合わせと、推定されたネイバーセルにおける変調方式を符号化率の組み合わせの伝送効率の比を求め、
現在の無線リソース使用率と、求めた前記伝送効率比から、無線リソース使用率予測値を算出する
ことを特徴とする基地局装置。
【請求項５】
請求項２に記載された基地局装置において、
端末装置からの前記測定報告をもとに、当該端末装置が他のセルと通信を行う場合の無線リソース使用率予測値を算出し、
前記管理テーブルの前記無線リソース使用率の欄において、算出した無線リソース使用率予測値を管理する
ことを特徴とする基地局装置。
【請求項６】
請求項１に記載された基地局装置において、
前記管理テーブルにおいて、各端末装置に対して、さらに、各端末装置のモビリティ情報及び/又はＱＣＩ情報を記載し、
前記処理部は、モビリティ情報が高速を示す端末装置をハンドオーバ対象から除外すること、及び/又は、ＱＣＩ情報が帯域保証型の通信を行っている端末装置をハンドオーバ対象から除外することを特徴とする基地局装置。
【請求項７】
請求項１に記載された基地局装置において、
逼迫状態にあるリモートユニットに接続中の任意の複数台の端末装置と、当該リモートユニットに隣接する任意の複数のリモートユニットに接続中の任意の複数台の端末装置とをハンドオーバにより入れ替えることを特徴とする基地局装置。
【請求項８】
無線通信システムであって、
無線信号により端末装置とのデータの送受信を行う複数のリモートユニットと、
前記複数のリモートユニットと通信するセンタユニットと
を備え、
前記センタユニットは、
端末装置に対して、端末装置と無線通信する各リモートユニットの無線リソース使用率を記憶する管理テーブルと、
処理部と、
を備え、
前記処理部は、
リモートユニットの識別情報を含む、基準信号の受信電力の測定報告を各端末装置から受信し、
前記測定報告により各端末装置の各リモートユニットにおける無線リソース使用率を計算して前記管理テーブルに記憶し、
前記管理テーブルに記憶された無線リソース使用率をもとに、第１のリモートユニットにおける無線リソース逼迫状態を検出すると、
前記管理テーブルを参照し、第１の端末装置を前記第１のリモートユニットから第２のリモートユニットへ、第２の端末装置を前記第２のリモートユニットから前記第１のリモートユニットへ入れ替えた場合の、前記第１及び第２のリモートユニットの各無線リソース使用率を推定し、
推定した各無線リソース使用率により前記第１及び第２のリモートユニットの無線リソースの逼迫状態が解消されると判断された場合に、前記第１及び第２の端末装置のハンドオーバを実行することにより接続されるリモートユニットを入れ替える
ことを特徴とする無線通信システム。
【請求項９】
請求項８に記載された無線通信システムにおいて、
前記センタユニットは各端末装置に対して、サービングセルからの基準信号の受信電力とネイバーセルからの基準信号の受信電力との差が、あらかじめ設定された閾値以下となる条件を満たしている間は、あらかじめ設定された周期間隔で、端末装置がセンタユニットに対して測定結果を報告するように設定する測定設定メッセージを送信し、
各リモートユニットは、各端末装置が下り信号の受信電力を測定するための基準信号を送信し、
各端末装置は、受信した基準信号の強度に基づいて受信電力を測定し、サービングセルとネイバーセルの受信電力の差が、前記測定設定メッセージにより設定された前記閾値以下となった場合には、該端末装置は前記センタユニットに対して、各セルからの基準信号の受信電力およびセルＩＤを含む前記測定報告を送信する
ことを特徴とする無線通信システム。
【請求項１０】
基地局装置における無線通信方法であって、
前記基地局装置は、
端末装置に対して、端末装置と無線通信する各リモートユニットの無線リソース使用率を記憶する管理テーブルと、
処理部と、
を備え、
前記処理部は、
リモートユニットの識別情報を含む、基準信号の受信電力の測定報告を各端末装置から受信し、
前記測定報告により各端末装置の各リモートユニットにおける無線リソース使用率を計算して前記管理テーブルに記憶し、
前記管理テーブルに記憶された無線リソース使用率をもとに、第１のリモートユニットにおける無線リソース逼迫状態を検出すると、
前記管理テーブルを参照し、第１の端末装置を前記第１のリモートユニットから第２のリモートユニットへ、第２の端末装置を前記第２のリモートユニットから前記第１のリモートユニットへ入れ替えた場合の、前記第１及び第２のリモートユニットの各無線リソース使用率を推定し、
推定した各無線リソース使用率により前記第１及び第２のリモートユニットの無線リソースの逼迫状態が解消されると判断された場合に、前記第１及び第２の端末装置のハンドオーバを実行することにより接続されるリモートユニットを入れ替える
ことを特徴とする無線通信方法。
【発明の詳細な説明】
【技術分野】
【０００１】
本発明は、基地局装置、無線通信システムおよび方法に係り、特に、ある特定セルに移動局が集中したことによる無線リソースの逼迫状態を解消する、セル間負荷分散技術に関する。
【背景技術】
【０００２】
セルラ無線通信システムでは、一般的にセルと呼ばれる基地局からの電波の届く範囲を、移動局の電波受信電力が常に一定以上となる様に、地理的に連続して配置することにより、無線通信サービスを受ける移動局に対して広い範囲のサービスエリアを提供する。１つのセルを１台の基地局により形成する場合、各セルのデータキャパシティは、基地局と移動局間の無線リソースによる制約を受けることになる。そのため、ある特定のセルに多数の移動局が集中的に在圏している状況では、多数の移動局が同時にデータ通信を行うと、当該セルにおいて無線リソースが逼迫状態となり、各移動局あたりのデータスループットやＱｏＥ（Ｑｕａｌｉｔｙ  ｏｆ  Ｅｘｐｅｒｉｅｎｃｅ）が低下するという課題が発生する。このような課題の対策として、以下に示す特許文献がある。
【０００３】
本技術分野の背景技術として、特開２００６−３０３７３９号公報（特許文献１）がある。この公報には、「隣接基地局から取得する情報に基づいて、エリアの連続性と、他の基地局の無線リソースの負荷状態に応じて、周波数帯域間ハンドオフ用周辺ゾーンテーブルを生成し、生成した基地局装置が形成するセルに所属する移動局に対して報知する。」旨記載されている。
また、特開２０１１−３５７６３号公報（特許文献２）がある。この公報には、「基地局制御装置は、各無線基地局の各セクタの無線リソース使用量を定期的に取得し、その使用量が閾値を超えていた場合、閾値を越えたセクタから使用量の低いセクタへと無線端末をハンドオーバさせ、使用量を低減させる。また、使用量が閾値を超えているセクタに、無線端末が接続してきた場合、当該端末が接続しようとしているセクタ以外に電波を受信しているセクタがあれば、その中から一番受信強度の強いセクタで接続する処理を行う。」旨記載されている。
【先行技術文献】
【特許文献】
【０００４】
【特許文献１】特開２００６−３０３７３９号公報
【特許文献２】特開２０１１−３５７６３号公報
【発明の概要】
【発明が解決しようとする課題】
【０００５】
セルラ無線通信システムでは、一般的にエリア内に存在する各移動局の電波の受信品質に応じて変調方式や符号化率を変更することにより、一定の受信データ誤り率となる様な適応変調制御が適用される。例えば、受信品質の悪い移動局に対しては、ＱＰＳＫ等の変調方式を選択し、また符号化率の低い誤り訂正符号が適用される。逆に受信品質の良い移動局に対しては、１６ＱＡＭや６４ＱＡＭ等のよりデータ伝送効率の良い変調方式を選択し、高い符号化率の誤り訂正符号が適用される。つまり、以下セルエッジと称する、基地局の遠方に存在し、基地局からの電波の受信品質の悪い移動局は、以下セルセンタと称する、基地局の近傍に存在し、基地局からの電波の受信品質の良い移動局に比べて、データの伝送効率が低く、ある一定量のデータ送受信に対して無線リソースを大量に消費してしまうことが想定される。
【０００６】
ホットスポットと呼ばれる人口密集地では、ある特定のセルで多数の移動局が同時にデータの送受信を行うことで、当該セルにおける無線リソースの上限値を超えたデータ量の送受信要求が発生する場合がある。このような状態になると、一般的に送受信されないデータは、一旦基地局内のバッファに蓄えられ、無線リソースに空きが発生するまでバッファに滞留することになる。この基地局でのデータの滞留により、当該セルに接続中の移動局は、スループットの低下やＱｏＥの低下が発生する。
【０００７】
特開２００６−３０３７３９号公報や、特開２０１１−３５７６３号公報によれば、各基地局間において無線リソースの負荷情報を交換することで、移動局をより負荷の低いセルへ接続させることが可能となっている。しかし、上述したように、移動局の無線リソースの所要量は、移動局の電波環境によって変化するため、無線リソースの負荷状態に応じて移動局の接続先を変更した際、接続先変更後の電波環境によっては、変更前よりも変更後の電波環境が悪化する可能性もあり、この場合に、変更前のセルにおける無線リソースの高負荷状態が解消される代わりに、変更後のセルにおいて無線リソースの高負荷状態が発生してしまう、という課題がある。
【０００８】
本発明は、以上の点に鑑み、無線リソースの有効活用するためのセル間負荷分散制御を行う基地局装置、無線通信システムおよび方法を提供することを目的とする。
【課題を解決するための手段】
【０００９】
本発明の第１の解決手段によると、
基地局装置であって、
端末装置に対して、端末装置と無線通信する各リモートユニットの無線リソース使用率を記憶する管理テーブルと、
処理部と、
を備え、
前記処理部は、
リモートユニットの識別情報を含む、基準信号の受信電力の測定報告を各端末装置から受信し、
前記測定報告により各端末装置の各リモートユニットにおける無線リソース使用率を計算して前記管理テーブルに記憶し、
前記管理テーブルに記憶された無線リソース使用率をもとに、第１のリモートユニットにおける無線リソース逼迫状態を検出すると、
前記管理テーブルを参照し、第１の端末装置を前記第１のリモートユニットから第２のリモートユニットへ、第２の端末装置を前記第２のリモートユニットから前記第１のリモートユニットへ入れ替えた場合の、前記第１及び第２のリモートユニットの各無線リソース使用率を推定し、
推定した各無線リソース使用率により前記第１及び第２のリモートユニットの無線リソースの逼迫状態が解消されると判断された場合に、前記第１及び第２の端末装置のハンドオーバを実行することにより接続されるリモートユニットを入れ替える
ことを特徴とする基地局装置が提供される。
【００１０】
本発明の第２の解決手段によると、
無線通信システムであって、
無線信号により端末装置とのデータの送受信を行う複数のリモートユニットと、
前記複数のリモートユニットと通信するセンタユニットと
を備え、
前記センタユニットは、
端末装置に対して、端末装置と無線通信する各リモートユニットの無線リソース使用率を記憶する管理テーブルと、
処理部と、
を備え、
前記処理部は、
リモートユニットの識別情報を含む、基準信号の受信電力の測定報告を各端末装置から受信し、
前記測定報告により各端末装置の各リモートユニットにおける無線リソース使用率を計算して前記管理テーブルに記憶し、
前記管理テーブルに記憶された無線リソース使用率をもとに、第１のリモートユニットにおける無線リソース逼迫状態を検出すると、
前記管理テーブルを参照し、第１の端末装置を前記第１のリモートユニットから第２のリモートユニットへ、第２の端末装置を前記第２のリモートユニットから前記第１のリモートユニットへ入れ替えた場合の、前記第１及び第２のリモートユニットの各無線リソース使用率を推定し、
推定した各無線リソース使用率により前記第１及び第２のリモートユニットの無線リソースの逼迫状態が解消されると判断された場合に、前記第１及び第２の端末装置のハンドオーバを実行することにより接続されるリモートユニットを入れ替える
ことを特徴とする無線通信システムが提供される。
【００１１】
本発明の第３の解決手段によると、
基地局装置における無線通信方法であって、
前記基地局装置は、
端末装置に対して、端末装置と無線通信する各リモートユニットの無線リソース使用率を記憶する管理テーブルと、
処理部と、
を備え、
前記処理部は、
リモートユニットの識別情報を含む、基準信号の受信電力の測定報告を各端末装置から受信し、
前記測定報告により各端末装置の各リモートユニットにおける無線リソース使用率を計算して前記管理テーブルに記憶し、
前記管理テーブルに記憶された無線リソース使用率をもとに、第１のリモートユニットにおける無線リソース逼迫状態を検出すると、
前記管理テーブルを参照し、第１の端末装置を前記第１のリモートユニットから第２のリモートユニットへ、第２の端末装置を前記第２のリモートユニットから前記第１のリモートユニットへ入れ替えた場合の、前記第１及び第２のリモートユニットの各無線リソース使用率を推定し、
推定した各無線リソース使用率により前記第１及び第２のリモートユニットの無線リソースの逼迫状態が解消されると判断された場合に、前記第１及び第２の端末装置のハンドオーバを実行することにより接続されるリモートユニットを入れ替える
ことを特徴とする無線通信方法が提供される。
【発明の効果】
【００１２】
本発明によると、無線リソースの有効活用するためのセル間負荷分散制御を行う基地局装置、無線通信システムおよび方法を提供することができる。
【図面の簡単な説明】
【００１３】
【図１】本実施例におけるセルラ無線通信システムの構成例を示す図。
【図２】本実施例におけるセルラ無線通信システムにおける各セルの無線リソース使用率の一例を示す図。
【図３】本実施例における負荷分散処理シーケンスの一例を示す図。
【図４】本実施例における無線リソース使用率管理テーブルの一例を示す図。
【図５】本実施例における測定報告のトリガポイント設定の一例を示す図。
【図６】本実施例における負荷分散処理を実施後の各セルの無線リソース使用率の一例を示す図。
【図７】本実施例における高負荷セルの検出処理の一例を示す図。
【図８】本実施例における負荷分散制御実行処理の一例を示す図。
【図９】本実施例におけるセンタユニットのハードウェア構成の一例を示す図。
【発明を実施するための形態】
【００１４】
１．概要
上述の課題を解決するために、本実施例では、データ通信中の各移動局について、サービングセルにおける現在の無線リソース使用率、およびネイバーセルにハンドオーバした場合の無線リソース使用率予測値を用いて、無線リソースが逼迫しているある特定セルから、その隣接セルへ移動局をハンドオーバさせる、もしくは、移動局を入れ替えることで、移動局のハンドオーバまたは入れ替えを実施した両方のセルの無線リソースが逼迫した状態とならないように、最適な負荷分散を実現することを特徴とする基地局装置、無線通信システムおよび方法、を提供する。
【００１５】
本実施例における無線基地局装置は、例えば、主に無線通信におけるＲＦ（Ｒａｄｉｏ  Ｆｒｅｑｕｅｎｃｙ）信号処理を行い、移動局との間で無線信号のやり取りを行うリモートユニットと、主に無線通信システムにおけるベースバンド信号処理を行い、かつ複数のリモートユニットを統括するセンタユニットとに分離した装置構成をとることができる。
センタユニットは、自身が統括する各リモートユニットに接続している全移動局の無線リソースの使用率を無線リソース使用率管理テーブルとして一元管理し、また、移動局から報告される周辺セルの受信電力報告値を元に、当該移動局が周辺セルと通信を行う場合の無線リソース使用率予測値を算出し、前記無線リソース使用率管理テーブルにて同様に管理することができる。
さらにセンタユニットは、各セルの無線リソース使用率を監視し、ある特定セルにおいて無線リソース使用率が予め決められたある閾値を超えた場合に、当該セルを高負荷状態と判定し、無線リソース使用率管理テーブルに保持した各移動局の無線リソース使用率情報を元に、当該セルに隣接しているセルとの間で、移動局をハンドオーバさせる、もしくは、それぞれのセルと通信中の移動局の入れ替えにより無線リソースの使用率が閾値を超えるかどうかを判定し、当該セルと隣接セルの両セルにおいて、当該閾値を超えない場合に、移動局のハンドオーバもしくは入れ替えを実施することで、セル間での最適な負荷分散を行うことができる。
【００１６】
また、本実施例による無線基地局装置は、例えば、ＲＦ信号処理部とベースバンド信号処理部を一つの筐体内に収めた一体型の装置構成をとることができる。各一体型基地局装置において、上記と同様に無線リソース使用率管理テーブルを管理するとともに、隣接する基地局間で無線リソース使用率管理テーブルの交換を行うことができる。
さらに各一体型基地局装置は、自セルの無線リソース使用率を監視し、無線リソース使用率が予め決められたある閾値を超えた場合に、高負荷状態と判定し、自セルの無線リソース管理テーブルおよび、隣接セルから取得した無線リソース管理テーブルに保持した各移動局の無線リソース使用率情報を元に、各セルの無線リソース状態が高負荷とならないように、各セル間で入れ替えを行う移動局を選択し、選択された移動局が接続されている基地局間で、入れ替えを行う移動局の情報を交換し、移動局の入れ替えを行うことで、各セルの無線リソース状態が高負荷とならないように、セル間での最適な負荷分散を行うことができる。
【００１７】
以下、本発明の実施の形態について図面を用いて説明する。
なお、以下の例ではシーケンスや処理の流れについて特定の順序で説明を行うことがあるが、ある処理の結果を次の処理で使用するような順序に対する依存性がある場合を除き、処理の順序が入れ替わっても良いし、また並行して処理を行っても良い。
また、以下の例では、本実施形態の負荷分散方法を実現する基地局装置を、センタユニットとリモートユニットに分割した構成とする。なお、センタユニットとリモートユニットを一体化した構成としてもよい。
また、以下の説明において、センタユニットおよびリモートユニットに限定せず、基地局装置全体を示す場合には、無線基地局または単に基地局と称する場合がある。
また、以下の説明において、例えば図１に示す本実施例における特定のセンタユニット、リモートユニット、移動局を示す場合には、センタユニットはＣＵ（Ｃｅｎｔｅｒ  Ｕｎｉｔ）、リモートユニットはＲＵ（Ｒｅｍｏｔｅ  Ｕｎｉｔ）＃ｘ、移動局はＵＥ（Ｕｓｅｒ  Ｅｑｕｉｐｍｅｎｔ）＃ｙと称する。ここで、ＲＵ＃ｘおよびＵＥ＃ｙにおける、ｘおよびｙは、それぞれ本実施例におけるある特定の装置（識別情報）を示している。
また、以下の例では、セルラ無線通信システムの例として、３ＧＰＰ（３ｒｄ  Ｇｅｎｅｒａｔｉｏｎ  Ｐａｒｔｎｅｒｓｈｉｐ  Ｐｒｏｊｅｃｔ）で標準化されているＬＴＥ（Ｌｏｎｇ  Ｔｅｒｍ  Ｅｖｏｌｕｔｉｏｎ）システムを前提として記載しているが、本発明が適用されるセルラ無線通信システムはＬＴＥシステムに限定されるものではない。
【００１８】
２．無線通信システムおよび基地局装置
図１は、本実施形態におけるセルラ無線通信システムの構成例を示す図である。本構成例のセルラ無線通信は、移動局１４１〜１５２、無線基地局を構成するセンタユニット１０１およびリモートユニット１１１〜１１３、センタユニット１０１と接続されるネットワーク１２１、ネットワーク１２１を介して基地局と接続されるコアネットワーク１３１を有する。各移動局１４１〜１５２は、リモートユニット１１１〜１１３と無線信号を用いて通信を行う。以下では、リモートユニット１１１〜１１３から移動局１４１〜１５２に向けた信号と通信を、下り信号又は下り通信と称する。逆に移動局１４１〜１５２からリモートユニット１１１〜１１３に向けた信号や通信を上り信号又は上り通信と称する。
リモートユニット１１１〜１１３は、主に無線基地局装置におけるＤＡ変換／ＡＤ変換処理およびＲＦ信号処理を担当し、センタユニット１０１は、主に無線基地局装置におけるベースバンド信号処理を担当する。また、センタユニット１０１は、複数のリモートユニット１１１〜１１３に対して、一つの装置で統括して管理、制御することが可能となっている。リモートユニット１１１〜１１３とセンタユニット１０１は、光ファイバ等のラインにより接続され、例えばＣＰＲＩ（Ｃｏｍｍｏｎ  Ｐｕｂｌｉｃ  Ｒａｄｉｏ  Ｉｎｔｅｒｆａｃｅ）インタフェースにより、デジタルＩＱデータをやり取りする。
センタユニット１０１は、ネットワーク１２１を介してコアネットワーク１３１と接続される。コアネットワーク１３１は、移動局１４１〜１５２のモビリティ情報の管理や他のネットワークとのゲートウェイ機能を有する。
【００１９】
移動局１４１〜１５２が、どのリモートユニット１１１〜１１３と通信を行うかは、下り信号または上り信号の受信品質や伝搬損失を元に決定され、移動局１４１〜１５２の移動などによって伝搬環境が変化した場合には、センタユニット１０１を介して、通信を行うセルを変更するハンドオーバ処理が行われる。
また、各リモートユニット１１１〜１１３が無線信号によりサービスを提供するエリアをセルと称し、本構成例では、移動局１４１〜１５２がセル間を移動した際にも、途切れることなくサービスが継続されるように、各リモートユニット１１１〜１１３が提供するセルが隣接して配置されているものとし、各セルはセルＩＤと称する固有の識別子を有している。
また、各移動局１４１〜１５２が接続中のセルをサービングセルと称し、サービングセルに隣接した周辺セルをネイバーセルと称する。
【００２０】
図１の例では、ＵＥ＃１（１４１）〜ＵＥ＃４（１４４）がＲＵ＃１（１１１）に、ＵＥ＃５（１４５）〜ＵＥ＃８（１４８）がＲＵ＃２（１１２）に、ＵＥ＃９（１４９）〜ＵＥ＃１２（１５２）がＲＵ＃３（１１３）にそれぞれ接続されているものとする。
【００２１】
図９は、本実施例におけるセンタユニットのハードウェア構成の一例を示す図である。
図９に示す基地局は、ＣＰＵ及びＤＳＰモジュール（処理部）９０１、メモリモジュール９０２、論理回路モジュール９０３、外部回線Ｉ／Ｆ９０４、リモートユニットＩ／Ｆ９０５を有し、それぞれ、バス９０６を介して接続される。
ＣＰＵ及びＤＳＰモジュール９０１は、図３に示すシーケンスにおける無線リソース使用率計算処理３０２、所要無線リソース使用率予測値計算３０８、負荷分散制御処理３０９の各処理を含むプログラムに従って各種の信号処理演算及び信号処理の制御を行う。
メモリモジュール９０２は、処理中及び処理前後の送信信号及び受信信号や、信号処理に用いるテーブル類、無線リソース使用率管理テーブル４０１等の情報を保持する。
論理回路モジュール９０３は、ＣＰＵ／ＤＳＰ９０１と同様に各種の信号処理演算及び信号処理の制御を行う。
外部回線Ｉ／Ｆモジュール９０４は、制御信号や信号処理前の送信データ、信号処理後の受信データの入出力を行う。
リモートユニットＩ／Ｆモジュール９０５は、各リモートユニットとの間でデータおよび制御信号の送受信を行う。
【００２２】
図４を用いて、無線リソース使用率管理テーブル４０１について詳細に説明する。
図４は、本実施例における無線リソース使用率管理テーブル４０１の一例を示す図である。
各々の一つの行は、通信中の移動局１４１〜１５２の内の一台に対応しており、各列は各移動局１４１〜１５２の個別情報が格納されている。以降、各列の意味を詳述する。
ＵＥＩＤ列４０２は、移動局を一意に識別するために、あらかじめ各移動局に設定されているＩＤ情報である。
サービングセルＩＤ列４０３は、各移動局１４１〜１５２のサービングセルのセルＩＤを示している。
無線リソース使用率［％］４０４は、各移動局１４１〜１５２がデータ通信に使用している無線リソース量の、サービングセル全体の無線リソース量に対する割合を示している。ここで、無線リソース使用率は、一例として、ある一定期間における平均値とすることができる。また、所要無線リソース使用率予測値も本テーブルにて同時に管理する。図４では、無線リソース使用率［％］の括弧付きの数値が所要無線リソース使用率予測値であることを示している。
モビリティ列４０５は、各移動局１４１〜１５２の移動速度情報を示している。移動速度情報は、例えば各移動局から報告される下り信号の受信品質情報を示すＣＱＩ（Ｃｈａｎｎｅｌ  Ｑｕａｌｉｔｙ  Ｉｎｄｉｃａｔｏｒ）の単位時間における変化量が、あらかじめ決められたある閾値より大きい場合にはＨｉｇｈと判定し、前記閾値以下の場合にはＬｏｗと判定する。モビリティ情報は、高速で移動中の移動局を本実施例による負荷分散のためのハンドオーバ対象から除外するために使用する。
【００２３】
ＱＣＩ列４０６は、各移動局１４１〜１５２がデータ通信に使用中のＱＣＩ（ＱｏＳ  Ｃｌａｓｓ  Ｉｄｅｎｔｉｆｉｅｒ）の値を示している。ＱＣＩ情報は、データ通信のアプリケーションの種類に対応しており、各移動局がＱＣＩ値の異なる複数のデータ通信を同時に実行している場合には、複数のＱＣＩ値を持つことを許容する。一般的にＱＣＩ値は、帯域保証型と帯域非保証型の２種類に大別され、通信アプリケーションの種類によって、対応するＱＣＩ値があらかじめ決められている。例えば、ＶｏＩＰ（Ｖｏｉｃｅ  ｏｖｅｒ  Ｉｎｔｅｒｎｅｔ  Ｐｒｏｔｏｃｏｌ）と呼ばれる、ＩＰを使用した音声通話アプリケーションには、帯域保証型に対応したＱＣＩ値が適用され、また、ＷｅｂブラウジングやＥ−Ｍａｉｌには、帯域非保証型に対応したＱＣＩ値が適用される。ＱＣＩ情報は、例えば音声通話中にハンドオーバを実行することによる、音声の途切れ等の通話品質の低下を防止するために、帯域保証型の通信を行っている移動局を本実施例による負荷分散のためのハンドオーバ対象から除外するために使用する。
ハンドオーバ可否列４０７は、負荷分散制御処理３０９におけるハンドオーバの可否情報を示している。図４においては、ハンドオーバ可能と判定された移動局を○で示している。ハンドオーバの可否判定は、例えば、サービングセル以外のセルの所要無線リソース使用率予測値を持っており、かつモビリティがＬｏｗであり、さらに、ＱＣＩの値から帯域保証型の通信を行っていない移動局をハンドオーバ可能であると判定する。
【００２４】
３．負荷分散処理
図２は、本実施形態における各リモートユニットにおける下り通信の無線リソース使用率の一例を示す図である。無線リソースとは、基地局と移動局との間の通信に利用される、ある電波の周波数の範囲を示す。ＬＴＥで利用されるＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）では、ある決められた周波数帯域幅を、周波数方向と時間方向にある一定間隔で分割し、分割されたブロック単位で移動局へ送信するデータを割り当てる。例えば、ＬＴＥでは、１０ＭＨｚの周波数帯域幅を、５０個のリソースブロックと呼ばれる単位に分割し、このリソースブロック単位で各ユーザへのデータを割り当てる。ここで、無線リソース使用率とは、移動局へのデータ送信に利用可能な全体の無線リソースの量に対する、実際にデータが割り当てられた無線リソースの量の割合であり、ある時刻における瞬時値または、ある時間間隔における平均値で表すことができる。
ＲＵ＃２の無線リソース使用率２０１では、全移動局の要求データ量に対して、無線リソース使用率が１００％に達しており、１００％を超過して要求された送受信データは移動局に送信されず、ＣＵ内のバッファに滞留することになり、パケット欠落によるＲＵ＃２（１１２）に接続された各移動局あたりのスループットの低下や、伝送遅延によるＱｏＥの低下が発生している状況を想定する。一方で、ＲＵ＃２に隣接するＲＵ＃３の無線リソース使用率２０２は、６０％であるとする。
なお、図２では下り通信について説明しているが、上り通信でも同様の処理が可能である。
【００２５】
図３は、本実施形態における負荷分散処理シーケンスの一例を示す図である。
図３では、移動局（ＵＥ＃７（１４７）、ＵＥ＃８（１４８）、ＵＥ＃９（１４９）、ＵＥ＃１０（１５０））およびリモートユニット（ＲＵ＃２（１１２）、ＲＵ＃３（１１３））のみ記載しているが、その他の移動局も図１に示す通り、各リモートユニットと通信中であるとする。
電源投入処理３０１は、移動局への通信サービスを開始するために、基地局装置に電源を投入し、各装置の初期化を行う。
【００２６】
無線リソース使用率測定処理３０２では、センタユニット１０１は、無線通信サービス開始後に、センタユニット１０１に接続された各リモートユニット１１１〜１１３の無線リソース使用率を測定する。センタユニット１０１は、自身に接続されている全リモートユニット１１１〜１１３について、また各リモートユニット１１１〜１１３に接続された全移動局１４１〜１５２の無線リソース使用率を、無線リソース使用率管理テーブル４０１としてセンタユニット１０１内に保持する。以降、センタユニット１０１は全リモートユニット１１１〜１１３および全移動局１４１〜１５２の無線リソース使用率をある一定周期で定期的に測定し、無線リソース使用率管理テーブル４０１を更新するものとする。なお、無線リソース使用率管理テーブル４０１を用いた処理については後述する。
移動局１４１〜１５２は、例えばリモートユニット１１１〜１１３のセル範囲外からセル範囲内に移動した場合や、あるいは移動局１４１〜１５２の電源投入時に基地局との間で初期接続３０３が実行される。基地局は移動局に対して、測定設定メッセージ３０４の送信を行う。例えば、ＬＴＥではＭｅａｓｕｒｅｍｅｎｔ  Ｃｏｎｆｉｇｕｒａｔｉｏｎメッセージと称する。測定設定メッセージ３０４は、基地局が送信する基準信号３０５の受信電力を移動局１４１〜１５２が測定し、測定結果を基地局へ報告するように、移動局１４１〜１５２に対して指示メッセージを送信するものである。移動局１４１〜１５２が基準信号受信電力を報告する契機や、報告する周期も同時に設定することが可能であるものとする。
【００２７】
本実施例における測定設定メッセージ３０４では、例えば、サービングセルからの基準信号受信電力とネイバーセルからの基準信号受信電力の差が、あらかじめ設定されたある閾値以下となる条件を満たしている間は、あらかじめ設定された周期間隔で、移動局１４１〜１５２が基地局に対して測定結果を報告するように設定する。
【００２８】
各リモートユニット１１１〜１１３は、移動局が下り信号の受信電力や受信品質を測定するために、基準信号３０５を送信する。基準信号とは、一般にパイロット信号等とも称され、無線通信システムにおいて、受信電力や受信品質の測定や、復調の際の基準電力に用いられる電力が一定の信号であり、例えばＬＴＥでは、参照信号（Ｒｅｆｅｒｅｎｃｅ  Ｓｉｇｎａｌ）と称する。
【００２９】
各移動局１４１〜１５２は、受信した基準信号３０５の強度に基づいて受信電力測定処理３０６を実施する。受信電力測定処理３０６の結果、移動局がセルエッジに位置する場合、つまりサービングセルとネイバーセルの受信電力の差が、測定設定メッセージにより設定された閾値以下となった場合には、移動局１４１〜１５２は基地局に対して、測定報告メッセージ３０７を送信する。本実施例では、移動局１４８および移動局１４９が、セルエッジにいる場合を示しており、それぞれの接続しているリモートユニットに対して測定報告メッセージ３０７を送信している。ここで、測定報告メッセージ３０７は、各セルからの基準信号受信電力値およびそのセルＩＤを含む。上述したように、各リモートユニットには、セルＩＤと称する固有の識別子が割り当てられており、さらに、セルＩＤ毎に対応する基準信号系列が割り当てられている。そのため、移動局は基準信号を受信した際、当該基準信号がどのセルＩＤのリモートユニットから送信された信号かを識別することが可能である。
【００３０】
センタユニット１０１は、測定報告メッセージ３０７により報告された受信電力値を、無線リソース使用率測定処理３０８にて使用する。
無線リソース使用率測定処理３０８では、センタユニット１０１は、測定報告を受けた各移動局１４８、１４９及び各リモートユニット１１２、１１３の無線リソース使用率を測定する。なお、センタユニット１０１は、測定した無線リソース使用率を、無線リソース使用率管理テーブル４０１（ＵＥＩＤ４０２、サービングセルＩＤ４０３に該当する無線リソース使用率４０４）に記憶する。
【００３１】
センタユニット１０１は、負荷分散制御処理３０９では、ある特定のセルの無線リソースが高負荷となった場合に、無線リソース使用率管理テーブル４０１をもとに、隣接セルへハンドオーバさせる移動局を決定する。決定した移動局（この例では、移動局１１４８，１４９）のハンドオーバが実行される（３１０）。
【００３２】
本実施例における測定設定メッセージによる測定報告の閾値の設定については、図５にて詳細に説明する。
図５は、本実施例における測定設定メッセージ３０４により設定する測定報告メッセージ３０７の送信トリガポイント設定の一例を示す図である。本図において、横軸は移動局の位置を示しており、縦軸は各セルから送信される基準信号の移動局における基準信号受信電力の大きさを示している。
一般的なセルラ無線システムでは、移動局を隣接セルへハンドオーバさせるかどうかを判断する為に、サービングセルの基準信号受信電力と、ネイバーセルの基準信号受信電力の差が、あらかじめ決められた閾値以下となった場合に、移動局から測定結果を報告するための、トリガポイント５０１を設定する。
本実施例では、ハンドオーバのためのトリガポイント５０１とは別に負荷分散制御のためのトリガポイント５０２を設定する。このトリガポイント５０１は、例えば、サービングセルの基準信号受信電力とネイバーセルの基準信号受信電力の差が、あらかじめ決められた閾値よりも小さくなったという条件を満たす場合に、測定報告メッセージ３０７を報告させるようにトリガポイントを設定する。また、移動局が前記条件を満たしている間、ある一定周期で繰り返し報告するようにしても良い。また、トリガポイント５０２は、さらに前述の差があらかじめ決められた閾値（トリガポイント５０１の閾値より小さい）よりも小さくなった場合にハンドオーバするように設定する。
【００３３】
次に、負荷分散制御処理３０９の動作を、高負荷セルの検出処理（図７）と負荷分散制御実行処理（図８）に分けて詳細に説明する。
図７は、センタユニットにおける高負荷セルの検出処理のフローチャートの例を示している。なお、本処理では、ＣＰＵ／ＤＳＰ９０１は、センタユニットが動作中にあらかじめ決められた一定周期毎に繰り返し実行するものとする。まず、ＣＰＵ／ＤＳＰ９０１は、センタユニットに接続されたリモートユニットを順番に検索するためのＩｎｄｅｘ  ｉ＝１を設定する（７０２）。次に、ｉの値がセンタユニットに接続されたリモートユニット数以下の場合（７０３）、ＣＰＵ／ＤＳＰ９０１は、無線リソース使用率管理テーブル４０１を参照してｉ番目のリモートユニットについて無線リソース使用率を測定する（各移動局とｉ番目のリモートユニットとの間の無線リソース使用率の合計値）（７０４）。ＣＰＵ／ＤＳＰ９０１は、測定された無線リソース使用率があらかじめ決められた閾値を超過していかどうかを判定し（７０５）、判定の結果、閾値を超過している場合には、ＣＰＵ／ＤＳＰ９０１は、当該リモートユニットについて負荷分散制御実行を行う（７０６）。閾値超過判定処理（７０５）において、閾値以下である場合には、ＣＰＵ／ＤＳＰ９０１は、当該リモートユニットについて負荷分散処理は行わず、Ｉｎｄｅｘ  ｉを１だけインクリメントし（７０７）、再度ｉ番目のリモートユニットについて無線リソース使用率の閾値判定を実施する。本処理により、センタユニットに接続された全リモートユニットについて、高負荷セルの検出を行うことが可能である。
【００３４】
図８は、センタユニットにおける負荷分散制御実行処理（７０６）のフローチャートの例を示している。
まず、ＣＰＵ／ＤＳＰ９０１は、前述の図７の高負荷セルの検出処理にて、高負荷と判定されたリモートユニットを特定する（８０２）。例えば、ここでは当該セルをＲＵ＃２とする。
次に、ＣＰＵ／ＤＳＰ９０１は、ＲＵ＃２に接続している移動局を検索するためのＩｎｄｅｘ  ｊ＝１を設定する（８０３）。ｊの値が、無線リソース使用率管理テーブル４０１におけるＲＵ＃２に接続中で、かつハンドオーバ可能な移動局の数以下の場合に（８０５）、ＣＰＵ／ＤＳＰ９０１は、ＲＵ＃２に接続中で、かつハンドオーバ可能な移動局の中で、ｊ番目に無線リソース使用率大きい移動局を選択する（８０６）。ここでは、例えばＵＥ＃８とする。ここで、ハンドオーバ可能な移動局の数については、例えばＣＰＵ／ＤＳＰ９０１は、無線リソース使用率管理テーブル４０１を参照し、各リモートユニットについて、例えば、モビリティ４０５が低移動度（Ｌｏｗ）、ＱＣＩ４０６が非帯域保証型（６）である移動局の数として求めることができる。
ＣＰＵ／ＤＳＰ９０１は、ＵＥ＃８のネイバーセル、つまりＵＥ＃８が測定報告にて報告したサービングセル以外のセル、を選択する（８０７）。例えば、ここではＲＵ＃３とする。
【００３５】
次に、ＣＰＵ／ＤＳＰ９０１は、ＵＥ＃８をＲＵ＃３へ移動させた場合のＲＵ＃３の無線リソース使用率を算出する（８０８）。つまり、ＣＰＵ／ＤＳＰ９０１は、無線リソース使用率管理テーブル４０１からＵＥ＃８をＲＵ＃３に接続した場合のＵＥ＃８の所要無線リソース使用率予測値と、ＲＵ＃３の無線リソース使用率を加算した値を求める。ＣＰＵ／ＤＳＰ９０１は、前記算出した値が、あらかじめ決められた閾値を超過しているかを判定し（８０９）、閾値を超過していない場合、つまりＵＥ＃８をＲＵ＃３に移動させてもＲＵ＃３が高負荷とならない場合には、ＵＥ＃８をＲＵ＃３へハンドオーバさせ（８１０）、負荷分散制御実行処理を終了する。なお、ＣＰＵ／ＤＳＰ９０１は、計算した無線リソース使用率予測値を、無線リソース使用率管理テーブル４０１（ＵＥＩＤ４０２、サービングセルＩＤ４０３に該当する無線リソース使用率４０４）に記憶する（図４のかっこ内の数値を参照）。
【００３６】
ＣＰＵ／ＤＳＰ９０１は、移動局から報告された受信電力報告値をもとに、当該移動局が、他のセルへ接続した場合の所要無線リソース使用率予測値を計算することができる。
以下に、所要無線リソース使用率予測値の算出処理の例を示す。
まず、移動局から報告された受信電力報告に含まれるサービングセルの受信電力とネイバーセルの受信電力の差から、ネイバーセルへ接続した場合のＳＩＮＲ（Ｓｉｇｎａｌ  ｔｏ  Ｉｎｔｅｒｆａｒｅｎｃｅ  ａｎｄ  Ｎｏｉｓｅ  ｐｏｗｅｒ  Ｒａｔｉｏ）の劣化量予測値を算出する。次に、算出したＳＩＮＲの劣化量予測値から、当該移動局がネイバーセルにおいて選択される変調方式と符号化率等の組み合わせを推定し、サービングセルの変調方式と符号化率等の組み合わせと、推定されたネイバーセルにおける変調方式と符号化率等の組み合わせの伝送効率の比を求め、現在の無線リソース使用率と前記伝送効率比から、所要無線リソース使用率予測値を算出する。
【００３７】
閾値超過判定（８０９）にて、閾値を超過した場合、つまりＵＥ＃８をＲＵ＃３に移動させることでＲＵ＃３が高負荷となってしまう場合、ＣＰＵ／ＤＳＰ９０１は、ＲＵ＃３からＲＵ＃２へ移動させる移動局を検索する処理を行う。まず、ＣＰＵ／ＤＳＰ９０１は、ＲＵ＃３に接続中の移動局を検索するためのＩｎｄｅｘ  ｋ＝１を設定する（８１２）。ｋの値が、無線リソース管理テーブルにおけるＲＵ＃３に接続中のハンドオーバ可能な移動局で、かつＲＵ＃２へハンドオーバ可能な移動局の数以下の場合に（８１３）、ＣＰＵ／ＤＳＰ９０１は、前記移動局の中で、ｋ番目に無線リソース使用率の大きい移動局を選択する（８１４）。ここでは、例えば当該移動局をＵＥ＃８とする。
次に、ＣＰＵ／ＤＳＰ９０１は、ＵＥ＃８とＵＥ＃９を入れ替えた場合のＲＵ＃２およびＲＵ＃３の無線リソース使用率を算出する（８１５）。つまり、ＣＰＵ／ＤＳＰ９０１は、現在のＲＵ＃２の無線リソース使用率から、ＵＥ＃８の無線リソース使用率を減算し、さらに無線リソース使用率管理テーブル４０１からＵＥ＃９をＲＵ＃２に接続した場合のＵＥ＃９の所要無線リソース使用率予測値を加算した値を、ＲＵ＃２におけるＵＥ＃８とＵＥ＃９の入れ替え後の無線リソース使用率とし、また、現在のＲＵ＃３の無線リソース使用率から、ＵＥ＃９の無線リソース利用率を減算し、さらにＵＥ＃８の所要無線リソース使用率予測値を加算した値を、ＲＵ＃３におけるＵＥ＃８とＵＥ＃９の入れ替え後の無線リソース使用率とする。なお、ＣＰＵ／ＤＳＰ９０１は、計算した無線リソース使用率予測値を、無線リソース使用率管理テーブル４０１（ＵＥＩＤ４０２、サービングセルＩＤ４０３に該当する無線リソース使用率４０４）に記憶する。
【００３８】
算出したＲＵ＃２およびＲＵ＃３それぞれの無線リソース使用率が、高負荷を判定する閾値を超過しているかどうかを判定し（８１６）、閾値を超過していない場合、つまりＲＵ＃２およびＲＵ＃３ともに高負荷とならない場合には、ＵＥ＃８をＲＵ＃２からＲＵ＃３へハンドオーバし（８１７）、また、ＵＥ＃９をＲＵ＃３からＲＵ＃２へハンドオーバする（８１９）。
閾値判定（８１６）にて、閾値を超過している場合、つまりＲＵ＃２またはＲＵ＃３が高負荷となってしまうと判定されば場合には、ハンドオーバは実行せず、ｋを１だけインクリメントし（８１９）、次にＲＵ＃３に接続中の移動局の中でｋ番目に無線リソース使用率の大きい移動局を選択し、再度、前記説明した入れ替え可否判定を行う。
ｋの値が、ＲＵ＃３におけるハンドオーバ可能な移動局の数よりも大きくなった場合、つまり、ＲＵ＃３の中でＵＥ＃８と入れ替え可能な移動局が見つからなかった場合には、ｊの値を１だけインクリメントし（８０４）、ＲＵ＃２に接続中の移動局の中でｊ番目に無線リソース使用率の大きい移動局を選択し、前記移動局の入れ替え可否判定を繰り返す。
ｊの値が、ＲＵ＃２におけるハンドオーバ可能な移動局の数よりも大きくなった場合、つまりＲＵ＃２に接続中の移動局の中で、全移動局についてハンドオーバ可能な移動局が見つからなかった場合には、ハンドオーバは実行せず、負荷分散制御実行処理（７０６）は終了する。
【００３９】
ハンドオーバ実行処理３１０では、負荷分散制御処理３０９により決定された、ハンドオーバさせる移動局の組合せをもとに、移動局のハンドオーバ処理を実施する。この時、ハンドオーバさせる移動局が複数存在する場合には、それらを同時に実行しても良いし、順番に実行しても良い。ハンドオーバ実行処理完了後、各移動局はハンドオーバ先のセルにおいてデータ通信が可能となる。
【００４０】
ハンドオーバ実行処理３１０後に、負荷分散制御処理を実行したセルにおいて、再度高負荷状態が発生した場合には、ある一定期間経過後に再度負荷分散制御処理を実行しても良いし、または、負荷分散制御処理を実行する以前の状態となるように、移動局をハンドオーバさせ、さらにある一定期間経過後に再度負荷分散制御処理を実行しても良い。
【００４１】
図６は、本発明による負荷分散制御３０９を実行した後の各ＲＵの無線リソース使用率を示す図である。
図６では、負荷分散制御処理３０９により、図４に示した無線リソース使用率管理テーブル４０１の情報をもとに、ＵＥ＃８（１４８）をＲＵ＃２（１１２）からＲＵ＃３（１１３）へ、またＵＥ＃９（１４９）をＲＵ＃３（１１３）からＲＵ＃２（１１２）へハンドオーバすることにより、ＲＵ＃２の無線リソース使用率６０１、およびＲＵ＃３の無線リソース使用率６０２、ともにセルの無線リソース使用率が９０％となり、無線リソースの逼迫状態が解消され、かつ最適なセル間負荷分散が実現される。
【００４２】
また、上記実施例では、各リモートユニットが提供するセルは、地理的に隣り合う位置に連続した配置で説明したが、本発明又は本実施例は、上述のようなセルの配置に限定されるものではなく、例えば、複数のセルが地理的に重なり合う位置に配置されていても良い。
【００４３】
また、上記実施例では、基地局装置は、主にＲＦ信号処理を行うリモートユニットと、主にベースバンド信号処理を行うセンタユニットに分離した構成で説明したが、本発明又は本実施例は、上記基地局の構成に限定されるものではなく、例えば、ＲＦ信号処理部とベースバンド信号処理部を、一つの筐体に収められた一体型の装置構成としても良い。
【００４４】
また、上記実施例では、基地局装置は、移動局からの測定報告メッセージを受信した際、セルの無線リソース使用率が逼迫状態にあるかないかに関わらず、所要無線リソース使用率を計算しているが、例えば、セルの無線リソース使用率が逼迫状態にある場合にのみ、所要無線リソース使用率を計算することとしても良い。
【００４５】
４．実施例の効果
本発明及び本実施例によれば、セル間での最適な負荷分散を実現できることにより、特定セルでの無線リソースの逼迫状態が解消され、ハンドオーバ後のセルで高負荷となる課題も回避できる。
また、本発明及び本実施例によれば、無線リソースの使用効率を改善することができ、移動局あたりのスループットの改善、およびＱｏＥの改善を図ることができる。
【００４６】
５．付記
上述の説明では、移動局について説明したが、これに限らず、適宜の無線端末等の端末装置に適用することができる。
【００４７】
なお、本発明は上記した実施例に限定されるものではなく、様々な変形例が含まれている。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４８】
１０１  センタユニット
１１１〜１１３  リモートユニット
１２１  ネットワーク
１３１  コアネットワーク
１４１〜１５２  移動局
２０１  ＲＵ＃２の無線リソース使用率
２０２  ＲＵ＃３の無線リソース使用率
３０１  電源投入処理
３０２  無線リソース使用率測定処理
３０３  初期接続
３０４  測定設定
３０５  基準信号
３０６  受信電力測定処理
３０７  測定報告
３０８  所要無線リソース使用率予測値計算処理
３０９  負荷分散制御処理
３１０  ハンドオーバ実行処理
４０１  無線リソース使用率管理テーブル
４０２  ＵＥＩＤ列
４０３  サービングセルＩＤ列
４０４  無線リソース使用率列
４０５  モビリティ列
４０６  ＱＣＩ列
４０７  ハンドオーバ可否列
５０１  ハンドオーバのためのトリガポイント
５０２  負荷分散のためのトリガポイント
５０３  ハンドオーバさせてもいい移動局の領域
６０１  負荷分散制御処理実行後のＲＵ＃２の無線リソース使用率
６０２  負荷分散制御処理実行後のＲＵ＃３の無線リソース使用率
【図１】
2015005872.tif 000003
【図２】
2015005872.tif 000004
【図３】
2015005872.tif 000005
【図４】
2015005872.tif 000006
【図５】
2015005872.tif 000007
【図６】
2015005872.tif 000008
【図７】
2015005872.tif 000009
【図８】
2015005872.tif 000010
【図９】
2015005872.tif 000011